(57)【特許請求の範囲】
【請求項１】
送信局としての上位送信局及び下位送信局と、受信局としての端末とを有する無線通信システムにおいて、
送信局毎の復調用参照信号に基づいて、下位送信局の所定のデータチャネル領域の一部に、端末毎の下り制御チャネルを割り当て、割り当て結果を下位送信局に送信し、前記割り当て結果に基づいて、自送信局の所定のデータチャネル領域の一部に配置した前記端末毎の下り制御チャネルを送信する上位送信局と、
前記割り当て結果に基づいて、自送信局の所定のデータチャネル領域の一部に配置した前記端末毎の下り制御チャネルを送信する下位送信局と、
前記復調用参照信号に基づいて、前記下り制御チャネルを復号する端末と、
を備え、
前記端末は、
前記下り制御チャネルが割り当てられた前記データチャネル領域の部分領域と、前記下り制御チャネルを復調するためのパラメータと、が対応付けられた情報を、複数の前記パラメータについて受信する第１受信部と、
前記データチャネル領域の部分領域に割り当てられた前記下り制御チャネルを受信する第２受信部と、
前記複数のパラメータから選択した第１パラメータから生成した復調用参照信号に基づいて、前記下り制御チャネルを復号し、前記第１パラメータに基づいて復号することができない場合、前記複数のパラメータから選択した第２パラメータから生成した復調用参照信号に基づいて、前記下り制御チャネルを復号する復号部と、
を備えることを特徴とする無線通信システム。
【請求項２】
前記端末は、前記送信局毎のチャネル状態情報の参照信号のパラメータに基づいて、前記復調用参照信号を生成し、生成した前記復調用参照信号に基づいて、前記下り制御チャネルを復号することを特徴とする請求項１に記載の無線通信システム。
【請求項３】
前記端末は、前記復調用参照信号の受信強度又は信号対干渉雑音比に基づいて、前記送信局を選択し、選択した前記送信局に対応する前記下り制御チャネルを復号することを特徴とする請求項１又は請求項２に記載の無線通信システム。
【請求項４】
前記端末は、前記送信局毎のサウンディングリファレンスシグナルの受信強度に基づいて前記送信局を選択し、選択した前記送信局に対応する前記下り制御チャネルを復号することを特徴とする請求項１又は請求項２に記載の無線通信システム。
【請求項５】
前記上位送信局は、前記送信局毎の復調用参照信号のシーケンス初期値のパラメータ、又は、前記送信局毎のチャネル状態情報の参照信号のシーケンス初期値のパラメータに基づいて、自送信局の所定のデータチャネル領域の一部に、前記端末毎の下り制御チャネルを割り当てることを特徴とする請求項１から請求項４のいずれか一項に記載の無線通信システム。
【請求項６】
下り制御チャネルが割り当てられたデータチャネル領域の部分領域と、前記下り制御チャネルを復調するためのパラメータと、が対応付けられた情報を、複数の前記パラメータについて受信する第１受信部と、
前記データチャネル領域の部分領域に割り当てられた前記下り制御チャネルを受信する第２受信部と、
前記複数のパラメータから選択した第１パラメータから生成した復調用参照信号に基づいて、前記下り制御チャネルを復号し、前記第１パラメータに基づいて復号することができない場合、前記複数のパラメータから選択した第２パラメータから生成した復調用参照信号に基づいて、前記下り制御チャネルを復号する復号部と、
を備えることを特徴とする端末。
【請求項７】
前記復号部は、チャネル状態情報の参照信号を生成するためのパラメータとしての前記第１パラメータに基づいて、前記下り制御チャネルを復号し、前記第１パラメータに基づいて復号することができない場合、前記チャネル状態情報の参照信号を生成するためのパラメータとしての前記第２パラメータに基づいて、前記下り制御チャネルを復号することを特徴とする請求項６に記載の端末。
【請求項８】
前記復号部は、前記復調用参照信号の受信強度又は信号対干渉雑音比に基づいて、送信局を選択し、選択した前記送信局に対応する前記下り制御チャネルを復号することを特徴とする請求項６又は請求項７に記載の端末。
【請求項９】
前記復号部は、前記送信局毎のサウンディングリファレンスシグナルの受信強度に基づいて送信局を選択し、選択した前記送信局に対応する前記下り制御チャネルを復号することを特徴とする請求項６又は請求項７に記載の端末。
【請求項１０】
下り制御チャネルを復調するためのパラメータから生成した復調用参照信号に基づいて、データチャネル領域の部分領域に前記下り制御チャネルを割り当て、前記下り制御チャネルを復調するためのパラメータと、前記部分領域とを、前記パラメータ毎に対応付ける制御チャネル割当部と、
前記下り制御チャネルを復調するためのパラメータと前記部分領域とが対応付けられた情報を、複数の前記パラメータについて送信する送信部と、
を備えることを特徴とする送信局。
【請求項１１】
前記制御チャネル割当部は、前記下り制御チャネルを復調するためのパラメータとして、チャネル状態情報の参照信号を生成するためのパラメータに基づいて、前記データチャネル領域の部分領域に前記下り制御チャネルを割り当てることを特徴とする請求項１０に記載の送信局。
【請求項１２】
送信局としての上位送信局及び下位送信局と、受信局としての端末とを有する無線通信システムにおいて、
上位送信局のコンピュータに、
送信局毎の復調用参照信号に基づいて、下位送信局の所定のデータチャネル領域の一部に、端末毎の下り制御チャネルを割り当て、割り当て結果を下位送信局に送信し、前記割り当て結果に基づいて、自送信局の所定のデータチャネル領域の一部に配置した前記端末毎の下り制御チャネルを送信する手順と、
下位送信局のコンピュータに、
前記割り当て結果に基づいて、自送信局の所定のデータチャネル領域の一部に配置した前記端末毎の下り制御チャネルを送信する手順と、
端末のコンピュータに、
前記データチャネル領域の部分領域に割り当てられた前記下り制御チャネルを復調するための複数のパラメータから、第１パラメータを選択する手順と、
前記第１パラメータから生成した復調用参照信号に基づいて、前記下り制御チャネルを復号する手順と、
前記第１パラメータに基づいて復号することができない場合、前記複数のパラメータから第２パラメータを選択し、前記第２パラメータから生成した復調用参照信号に基づいて、前記下り制御チャネルを復号する手順と、
を実行させるための無線通信プログラム。
【請求項１３】
端末のコンピュータに、
データチャネル領域の部分領域に割り当てられた下り制御チャネルを復調するための複数のパラメータから、第１パラメータを選択する手順と、
前記第１パラメータから生成した復調用参照信号に基づいて、前記下り制御チャネルを復号する手順と、
前記第１パラメータに基づいて復号することができない場合、前記複数のパラメータから第２パラメータを選択し、前記第２パラメータから生成した復調用参照信号に基づいて、前記下り制御チャネルを復号する手順と、
を実行させるための無線通信プログラム。
【請求項１４】
送信局のコンピュータに、
下り制御チャネルを復調するためのパラメータから生成した復調用参照信号に基づいて、データチャネル領域の部分領域に前記下り制御チャネルを割り当て、前記下り制御チャネルを復調するためのパラメータと、前記部分領域とを、前記パラメータ毎に対応付ける手順と、
前記下り制御チャネルを復調するためのパラメータと前記部分領域とが対応付けられた情報を、複数の前記パラメータについて送信する手順と、
を実行させるための無線通信プログラム。
【発明の詳細な説明】
【技術分野】
【０００１】
本発明は、無線通信システム、端末、送信局、及び無線通信プログラムに関する。
【背景技術】
【０００２】
通信規格の一つであるＬＴＥ（Ｌｏｎｇ Ｔｅｒｍ Ｅｖｏｌｕｔｉｏｎ）の下りリンクでは、無線リソースの割り当てを端末に通知するために、下り制御チャネル（Ｐｈｙｓｉｃａｌ Ｄｏｗｎｌｉｎｋ Ｃｏｎｔｒｏｌ Ｃｈａｎｎｅｌ：ＰＤＣＣＨ）が用いられている。このＰＤＣＣＨと、無線リソースが実際に割り当てられるデータチャネルである下りリンク共有チャネル (Ｐｈｙｓｉｃａｌ Ｄｏｗｎｌｉｎｋ Ｓｈａｒｅｄ Ｃｈａｎｎｅｌ：ＰＤＳＣＨ)とは、一対一で対応している（非特許文献１参照）。
【先行技術文献】
【非特許文献】
【０００３】
【非特許文献１】3GPP, TS36.212 V10.4.0,“Evolved Universal Terrestrial Radio Access (E-UTRA); Multiplexing and channel coding (Release 10),” June 2011
【発明の概要】
【発明が解決しようとする課題】
【０００４】
ところで、ＰＤＳＣＨのスループットの低下を防ぐには、ＬＴＥ Ｒｅｌ．１０までのＰＤＣＣＨだけでは、制御チャネルの容量が不足しているという問題がある。この問題を解決するために、ＬＴＥ Ｒｅｌ．１０までのＰＤＣＣＨと比較して高度化した下り制御チャネル（以下、「ｅＰＤＣＣＨ（ｅｎｈａｎｃｅｄ  ＰＤＣＣＨ）」という）が提案されている。このｅＰＤＣＣＨは、下りリンクのデータチャネル（ＰＤＳＣＨ）領域の一部に配置される。
【０００５】
このｅＰＤＣＣＨを端末が復調するには、復調用参照信号（ＤｅＭｏｄｕｌａｔｉｏｎ Ｒｅｆｅｒｅｎｃｅ Ｓｉｇｎａｌｓ：ＤＭＲＳ）が必要である。ＬＴＥ Ｒｅｌ−１０では、復調用参照信号の必要パラメータを端末がＰＤＣＣＨより取得する案がある。
【０００６】
しかしながら、この案をｅＰＤＣＣＨの復調にそのまま適用する場合、ｅＰＤＣＣＨの復調用参照信号の必要パラメータが、ＬＴＥ Ｒｅｌ．１０までのＰＤＣＣＨに割り当てられるので、そもそも不足しているＬＴＥ Ｒｅｌ．１０までのＰＤＣＣＨの容量を、さらに不足させてしまうという問題がある。
【０００７】
本発明は、前記の点に鑑みてなされたものであり、ＬＴＥ Ｒｅｌ．１０までのＰＤＣＣＨの容量を不足させてしまうことなく、データチャネルのスループットの低下を防ぐことができる無線通信システム、端末、送信局、及び無線通信プログラムを提供することを目的とする。
【課題を解決するための手段】
【０００８】
本発明は、上記の課題を解決するためになされたものであり、送信局としての上位送信局及び下位送信局と、受信局としての端末とを有する無線通信システムにおいて、送信局毎の復調用参照信号に基づいて、下位送信局の所定のデータチャネル領域の一部に、端末毎の下り制御チャネルを割り当て、割り当て結果を下位送信局に送信し、前記割り当て結果に基づいて、自送信局の所定のデータチャネル領域の一部に配置した前記端末毎の下り制御チャネルを送信する上位送信局と、前記割り当て結果に基づいて、自送信局の所定のデータチャネル領域の一部に配置した前記端末毎の下り制御チャネルを送信する下位送信局と、前記復調用参照信号に基づいて、前記下り制御チャネルを復号する端末と、を備え、前記端末は、前記下り制御チャネルが割り当てられた前記データチャネル領域の部分領域と、前記下り制御チャネルを復調するためのパラメータと、が対応付けられた情報を、複数の前記パラメータについて受信する第１受信部と、前記データチャネル領域の部分領域に割り当てられた前記下り制御チャネルを受信する第２受信部と、前記複数のパラメータから選択した第１パラメータから生成した復調用参照信号に基づいて、前記下り制御チャネルを復号し、前記第１パラメータに基づいて復号することができない場合、前記複数のパラメータから選択した第２パラメータから生成した復調用参照信号に基づいて、前記下り制御チャネルを復号する復号部と、を備えることを特徴とする無線通信システムである。
【０００９】
また、本発明は、前記端末が、前記送信局毎のチャネル状態情報の参照信号のパラメータに基づいて、前記復調用参照信号を生成し、生成した前記復調用参照信号に基づいて、前記下り制御チャネルを復号することを特徴とする無線通信システムである。
【００１０】
また、本発明は、前記端末が、前記復調用参照信号の受信強度又は信号対干渉雑音比に基づいて、前記送信局を選択し、選択した前記送信局に対応する前記下り制御チャネルを復号することを特徴とする無線通信システムである。
【００１１】
また、本発明は、前記端末が、前記送信局毎のサウンディングリファレンスシグナルの受信強度に基づいて前記送信局を選択し、選択した前記送信局に対応する前記下り制御チャネルを復号することを特徴とする無線通信システムである。
【００１２】
また、本発明は、前記上位送信局が、前記送信局毎の復調用参照信号のシーケンス初期値のパラメータ、又は、前記送信局毎のチャネル状態情報の参照信号のシーケンス初期値のパラメータに基づいて、自送信局の所定のデータチャネル領域の一部に、前記端末毎の下り制御チャネルを割り当てることを特徴とする無線通信システムである。
【００１３】
また、本発明は、下り制御チャネルが割り当てられたデータチャネル領域の部分領域と、前記下り制御チャネルを復調するためのパラメータと、が対応付けられた情報を、複数の前記パラメータについて受信する第１受信部と、前記データチャネル領域の部分領域に割り当てられた前記下り制御チャネルを受信する第２受信部と、前記複数のパラメータから選択した第１パラメータから生成した復調用参照信号に基づいて、前記下り制御チャネルを復号し、前記第１パラメータに基づいて復号することができない場合、前記複数のパラメータから選択した第２パラメータから生成した復調用参照信号に基づいて、前記下り制御チャネルを復号する復号部と、を備えることを特徴とする端末である。
【００１４】
また、本発明は、前記復号部が、チャネル状態情報の参照信号を生成するためのパラメータとしての前記第１パラメータに基づいて、前記下り制御チャネルを復号し、前記第１パラメータに基づいて復号することができない場合、前記チャネル状態情報の参照信号を生成するためのパラメータとしての前記第２パラメータに基づいて、前記下り制御チャネルを復号することを特徴とする端末である。
【００１５】
また、本発明は、前記復号部が、前記復調用参照信号の受信強度又は信号対干渉雑音比に基づいて、送信局を選択し、選択した前記送信局に対応する前記下り制御チャネルを復号することを特徴とする端末である。
【００１６】
また、本発明は、前記復号部が、前記送信局毎のサウンディングリファレンスシグナルの受信強度に基づいて送信局を選択し、選択した前記送信局に対応する前記下り制御チャネルを復号することを特徴とする端末である。
【００１７】
また、本発明は、下り制御チャネルを復調するためのパラメータから生成した復調用参照信号に基づいて、データチャネル領域の部分領域に前記下り制御チャネルを割り当て、前記下り制御チャネルを復調するためのパラメータと、前記部分領域とを、前記パラメータ毎に対応付ける制御チャネル割当部と、前記下り制御チャネルを復調するためのパラメータと前記部分領域とが対応付けられた情報を、複数の前記パラメータについて送信する送信部と、を備えることを特徴とする送信局である。
【００１８】
また、本発明は、前記制御チャネル割当部が、前記下り制御チャネルを復調するためのパラメータとして、チャネル状態情報の参照信号を生成するためのパラメータに基づいて、前記データチャネル領域の部分領域に前記下り制御チャネルを割り当てることを特徴とする送信局である。
【００１９】
また、本発明は、送信局としての上位送信局及び下位送信局と、受信局としての端末とを有する無線通信システムにおいて、上位送信局のコンピュータに、送信局毎の復調用参照信号に基づいて、下位送信局の所定のデータチャネル領域の一部に、端末毎の下り制御チャネルを割り当て、割り当て結果を下位送信局に送信し、前記割り当て結果に基づいて、自送信局の所定のデータチャネル領域の一部に配置した前記端末毎の下り制御チャネルを送信する手順と、下位送信局のコンピュータに、前記割り当て結果に基づいて、自送信局の所定のデータチャネル領域の一部に配置した前記端末毎の下り制御チャネルを送信する手順と、端末のコンピュータに、前記データチャネル領域の部分領域に割り当てられた前記下り制御チャネルを復調するための複数のパラメータから、第１パラメータを選択する手順と、前記第１パラメータから生成した復調用参照信号に基づいて、前記下り制御チャネルを復号する手順と、前記第１パラメータに基づいて復号することができない場合、前記複数のパラメータから第２パラメータを選択し、前記第２パラメータから生成した復調用参照信号に基づいて、前記下り制御チャネルを復号する手順と、を実行させるための無線通信プログラムである。
【００２０】
また、本発明は、端末のコンピュータに、データチャネル領域の部分領域に割り当てられた下り制御チャネルを復調するための複数のパラメータから、第１パラメータを選択する手順と、前記第１パラメータから生成した復調用参照信号に基づいて、前記下り制御チャネルを復号する手順と、前記第１パラメータに基づいて復号することができない場合、前記複数のパラメータから第２パラメータを選択し、前記第２パラメータから生成した復調用参照信号に基づいて、前記下り制御チャネルを復号する手順と、を実行させるための無線通信プログラムである。
【００２１】
また、本発明は、送信局のコンピュータに、下り制御チャネルを復調するためのパラメータから生成した復調用参照信号に基づいて、データチャネル領域の部分領域に前記下り制御チャネルを割り当て、前記下り制御チャネルを復調するためのパラメータと、前記部分領域とを、前記パラメータ毎に対応付ける手順と、前記下り制御チャネルを復調するためのパラメータと前記部分領域とが対応付けられた情報を、複数の前記パラメータについて送信する手順と、を実行させるための無線通信プログラムである。
【発明の効果】
【００２２】
本発明によれば、上位送信局は、送信局毎の復調用参照信号に基づいて、所定のデータチャネル領域の一部に、端末毎の下り制御チャネルを割り当てる。これにより、無線通信システムは、ＬＴＥ Ｒｅｌ．１０までのＰＤＣＣＨの容量を不足させてしまうことなく、データチャネルのスループットの低下を防ぐことができる。
【図面の簡単な説明】
【００２３】
【図１】本発明の第１実施形態における、無線通信システムの構成例を示す図である。
【図２】本発明の第１実施形態における、上位送信局、下位送信局及び端末の構成例を示すブロック図である。
【図３】本発明の第１実施形態における、非特許文献１の「Ｔａｂｌｅ５．３．３．１．５Ｃ‐１」を示す表である。
【図４】本発明の第１実施形態における、無線通信システムの動作手順の第１例を示すシーケンス図である。
【図５】本発明の第１実施形態における、ｅＰＤＣＣＨを復号（ブラインドデコーディング）する手順例を示すフローチャートである。
【図６】本発明の第２実施形態における、ｅＰＤＣＣＨ可能領域の配置例を示す図である。
【図７】本発明の第２実施形態における、ｅＰＤＣＣＨ可能領域を通知するためのテーブルデータの例を示す図である。
【図８】本発明の第２実施形態における、無線通信システムの動作手順の第２例を示すシーケンス図である。
【図９】本発明の第２実施形態における、無線通信システムの動作手順の第３例を示すシーケンス図である。
【発明を実施するための形態】
【００２４】
［第１実施形態］
本発明の第１実施形態について図面を参照して詳細に説明する。
以下、ＬＴＥ Ｒｅｌ．１０までのＰＤＣＣＨを、「レガシーＰＤＣＣＨ」という。
【００２５】
図１には、無線通信システムの構成例が示されている。無線通信システムは、上位送信局１００−１（Ｕｐｐｅｒ  ｐｏｗｅｒ ｎｏｄｅ）（Ｔｒａｎｓｍｉｓｓｉｏｎ Ｐｏｉｎｔ  ０：ＴＰ０）と、下位送信局１０１−１〜１０４−１（Ｌｏｗｅｒ ｐｏｗｅｒ ｎｏｄｅ）（ＴＰ１〜ＴＰ４）と、端末２００−１とを備える。ここで、下位送信局１０１−１〜１０４−１は、上位送信局１００−１のセル３００−０の識別情報（セルＩＤ０）を共有する。
【００２６】
また、無線通信システムは、他の上位送信局と、当該他の上位送信局のセルＩＤを共有する他の下位送信局群と、他の端末群とをさらに備えてもよい。例えば、無線通信システムは、上位送信局１００−２と、下位送信局１０１−２〜１０４−２と、端末２００−２とを備えてもよい。ここで、下位送信局１０１−２〜１０４−２は、上位送信局１００−２のセル３００−１の識別情報（セルＩＤ１）を共有する。
【００２７】
このように、無線通信システムが上位送信局のセルＩＤ毎に同構成を有しているので、以下では、セル３００−０、上位送信局１００−１、下位送信局１０１−１〜１０４−１及び端末２００−１についてのみ説明する。また、以下では、ハイフン付の符号を省略して、符号を表記する。
【００２８】
なお、無線通信システムは、さらに多くの上位送信局１００を備えてもよい。下位送信局１０１〜１０４及び端末２００についても同様に、上記で説明した台数に限られなくてよい。
【００２９】
送信局のグループ（ＴＰ  Ｇｒｏｕｐ）を構成する上位送信局１００及び下位送信局１０１〜１０４は、チャネル状態情報 (Ｃｈａｎｎｅｌ  ｅｓｔｉｍａｔｉｏｎ  ｓｔａｔｅ ｒｅｆｅｒｅｎｃｅ ｓｉｇｎａｌ：ＣＳＩ）の参照信号（ＲＳ）を生成するためのパラメータ値により、それぞれ識別される。
【００３０】
図２には、上位送信局、下位送信局及び端末の構成例が、ブロック図により示されている。
まず、上位送信局の構成例を説明する。上位送信局１００は、制御チャネル割当部１１０と、データチャネル割当部１２０と、送受信部１３０とを備える。
【００３１】
データチャネル割当部１２０は、データチャネル領域（ＰＤＳＣＨ）の無線リソースを、端末毎に割り当てる。
【００３２】
送受信部１３０は、上位レイヤシグナリングにより、パラメータＹ（式（１）を用いて後述する）の値を端末２００に通知する。例えば、送受信部１３０は、上位レイヤシグナリングとしてのレガシーＰＤＣＣＨにより、パラメータＹの値を端末２００に通知してもよい。
【００３３】
また、送受信部１３０は、各送信局から送信されたチャネル状態情報の参照信号（ＣＳＩ−ＲＳ）の受信電力、又は、信号対雑音干渉比の測定結果を、評価指標値として通知（フィードバック）するように、端末２００に指示する。また、送受信部１３０は、送信局毎の上りサウンディングリファレンスシグナルの受信強度を、評価指標値として通知するように、端末２００に指示してもよい。
【００３４】
また、送受信部１３０は、チャネル状態情報の参照信号（ＣＳＩ−ＲＳ）の受信電力、又は、信号対雑音干渉比の測定結果を、評価指標値として端末２００から受信する。
【００３５】
制御チャネル割当部１１０は、下位送信局１０１〜１０４を識別するために、チャネル状態情報の参照信号（ＣＳＩ−ＲＳ）のシーケンス初期値のパラメータＹを、送信局（ＴＰ）毎に異なるように定める。つまり、パラメータＹの値は、送信局毎に固有（ＴＰ−ｓｐｅｃｉｆｉｃ）である。チャネル状態情報の参照信号のシーケンス初期値Ｃｉｎｉｔは、式（１）により示される。
【００３６】
【数１】
0005890743.tif 000002
【００３７】
ここで、ｎｓは、スロットの識別情報を示す。また、ｌは、Ｏｒｔｈｏｇｏｎａｌ Ｆｒｅｑｕｅｎｃｙ Ｄｉｖｉｓｉｏｎ Ｍｕｌｔｉｐｌｅｘｉｎｇ（ＯＦＤＭ）の識別情報（ＩＤ）を示す。また、ＮＣＰは、サイクリック・プレフィクス（ＣＰ）長を示す。
【００３８】
式（１）を示す情報は、上位送信局１００の記憶部（不図示）に予め記憶されている。また、式（１）を示す情報は、端末２００の記憶部（不図示）に予め記憶されている。
【００３９】
制御チャネル割当部１１０は、ＣＳＩ‐ＲＳの設定（Ｃｏｎｆｉｇｕｒａｔｉｏｎ）０として、サブフレーム０，５，１０，１５，…にＣＳＩ‐ＲＳが送信されるよう、例えば、パラメータＹの値０を上位送信局１００に割り当てる。また、制御チャネル割当部１１０は、ＣＳＩ‐ＲＳ設定１として、サブフレーム１，６，１１，１６，…にＣＳＩ‐ＲＳが送信されるよう、パラメータＹの値１を下位送信局１０１に割り当てる。また、制御チャネル割当部１１０は、ＣＳＩ‐ＲＳ設定２として、サブフレーム２，７，１２，１７，…にＣＳＩ‐ＲＳが送信されるよう、パラメータＹの値２を下位送信局１０２に割り当てる。また、制御チャネル割当部１１０は、ＣＳＩ‐ＲＳ設定３として、サブフレーム３，８，１３，１８，…にＣＳＩ‐ＲＳが送信されるよう、パラメータＹの値３を下位送信局１０３に割り当てる。また、制御チャネル割当部１１０は、ＣＳＩ‐ＲＳ設定４として、サブフレーム４，９，１４，１９，…にＣＳＩ‐ＲＳが送信されるよう、パラメータＹの値４を下位送信局１０４に割り当てる。なお、ＣＳＩ‐ＲＳの送信タイミングは、送信局同士で重複してもよい。
【００４０】
制御チャネル割当部１１０は、データチャネル割当部１２０による所定データの割り当て結果を端末に通知するためのｅＰＤＣＣＨを、データチャネル領域の一部の無線リソースに、端末毎に割り当てる。
【００４１】
ここで、制御チャネル割当部１１０は、評価指標値が上位Ｎ（値Ｎは、予め定められた１以上の整数）以内を示す送信局の無線リソースにおける、ｅＰＤＣＣＨを割り当て可能な領域（ｅＰＤＣＣＨ Ｐｏｔｅｎｔｉａｌ Ｒｅｇｉｏｎ）（以下、「ｅＰＤＣＣＨ可能領域」という）にのみ、ｅＰＤＣＣＨのための無線リソースを割り当ててもよい。さらに、制御チャネル割当部１１０は、トラヒック変動を考慮して、前記の値Ｎを定めてもよい。
【００４２】
制御チャネル割当部１１０は、送信局毎のチャネル状態情報の参照信号（ＣＳＩ−ＲＳ）のシーケンス初期値のパラメータＹ（式（１）を参照）に基づいて、ｅＰＤＣＣＨを復号（ブラインドデコーディング）するための復調用参照信号（ＤＭＲＳ）（以下、「ｅＰＤＣＣＨ復調用参照信号」という）を生成する。ｅＰＤＣＣＨ復調用参照信号のシーケンス初期値Ｃｉｎｉｔは、式（２）により示される。
【００４３】
【数２】
0005890743.tif 000003
【００４４】
ここで、ｎｓは、スロットの識別情報を示す。また、ｎＳＣＩＤは、前記非特許文献１の「Ｔａｂｌｅ５．３．３．１．５Ｃ‐１」に示されているパラメータｎＳＣＩＤでもよい。つまり、ｎＳＣＩＤは、値０又は１（固定値）に予め定められ、上位送信局１００から端末２００に予め通知される。
【００４５】
式（２）を示す情報は、上位送信局１００の記憶部（不図示）に予め記憶されている。また、式（２）を示す情報は、端末２００の記憶部（不図示）に予め記憶されている。
【００４６】
図３には、前記非特許文献１の「Ｔａｂｌｅ５．３．３．１．５Ｃ‐１」が、表により示されている。この「Ｔａｂｌｅ５．３．３．１．５Ｃ‐１」には、ＬＴＥ  Ｒｅｌ−１０における、端末毎に固有（ＵＥ−ｓｐｅｃｉｆｉｃ）の復調用参照信号（ＤＭＲＳ）のシーケンス初期値Ｃｉｎｉｔを生成するためのパラメータ（Ｍｅｓｓａｇｅ）について、複数の候補値パターン（Ｖａｌｕｅ）が示されている。式（２）に示されているｎＳＣＩＤは、この「Ｔａｂｌｅ５．３．３．１．５Ｃ‐１」に示されているパラメータｎＳＣＩＤと同様に定められる。
【００４７】
図２に戻り、上位送信局の構成例の説明を続ける。制御チャネル割当部１１０は、ｅＰＤＣＣＨ復調用参照信号のシーケンス初期値のパラメータＺの値を、パラメータＹに基づいて一意に定める。例えば、制御チャネル割当部１１０は、ｅＰＤＣＣＨ復調用参照信号のシーケンス初期値のパラメータＺの値を、パラメータＹと等しい値に定める。つまり、パラメータＺの値が送信局毎に固有（ＴＰ−ｓｐｅｃｉｆｉｃ）の値となるので、パラメータＺの値には、前記Ｎ個の候補値がある。
【００４８】
パラメータＺの値がパラメータＹの値と等しいので、制御チャネル割当部１１０は、パラメータＺの値を、端末２００に通知する必要がない。また、パラメータＺの値が通知されなくても、パラメータＺの値がパラメータＹの値と等しいので、端末２００は、ｅＰＤＣＣＨを受信する前にパラメータＺの値が判る。
【００４９】
また、制御チャネル割当部１１０は、セル３００内の全ての送信局の評価指標値に基づいて、ｅＰＤＣＣＨ可能領域の無線リソースに、端末２００のｅＰＤＣＣＨを割り当ててもよい。ここで、各送信局を識別するために、パラメータＹが用いられてもよい。ｅＰＤＣＣＨ可能領域の無線リソースへの割り当て結果は、上位レイヤシグナリングにより、送受信部１３０から端末２００に通知される。
【００５０】
評価指標値が上位である送信局から送信されたｅＰＤＣＣＨは、端末２００によりサブフレーム毎にブラインドデコーディングされる。チャネル状態情報の参照信号の受信電力が大きい送信局の順が、例えば、下位送信局１０３＞下位送信局１０４＞下位送信局１０２＞上位送信局１００＞下位送信局１０１である場合、制御チャネル割当部１１０は、次のように動作する。
【００５１】
例えば、評価指標値が上位を示す送信局の数Ｎが１と予め定められている場合、制御チャネル割当部１１０は、評価指標値が最上位を示す下位送信局１０３（ＴＰ３）のｅＰＤＣＣＨ可能領域を、端末２００のｅＰＤＣＣＨに割り当てる。この場合、ｅＰＤＣＣＨは、ｅＰＤＣＣＨ復調用参照信号のシーケンス初期値Ｚ＝３を用いて、端末２００により復号（ブラインドデコーディング）される。
【００５２】
また、例えば、評価指標値が上位を示す送信局の数Ｎが２と予め定められている場合、制御チャネル割当部１１０は、評価指標値が最上位を示す下位送信局１０３（ＴＰ３）のｅＰＤＣＣＨ可能領域を、端末２００のｅＰＤＣＣＨに割り当てる。この場合、ｅＰＤＣＣＨは、ｅＰＤＣＣＨ復調用参照信号のシーケンス初期値Ｚ＝３を用いて、端末２００により復号（ブラインドデコーディング）される。
【００５３】
その割り当てが失敗した場合、制御チャネル割当部１１０は、評価指標値が次に上位を示す下位送信局１０４（ＴＰ４）のｅＰＤＣＣＨ可能領域を、端末２００のｅＰＤＣＣＨに割り当てる。この場合、ｅＰＤＣＣＨは、ｅＰＤＣＣＨ復調用参照信号のシーケンス初期値Ｚ＝４を用いて、端末２００により復号（ブラインドデコーディング）される。
【００５４】
次に、端末の構成例を説明する。
端末２００は、セル３００と同期し、上位送信局１００（ＴＰ０）をサービングセクタ（Ｓｅｒｖｉｎｇ Ｓｅｃｔｏｒ）とする。端末２００は、測定部２１０と、復号部２２０と、送受信部２３０とを備える。
【００５５】
測定部２１０は、各送信局から送信されたチャネル状態情報の参照信号（ＣＳＩ−ＲＳ）の受信電力、又は、信号対雑音干渉比を測定する。測定部２１０は、各送信局から送信されたチャネル状態情報の参照信号（ＣＳＩ−ＲＳ）の受信電力、又は、信号対雑音干渉比の測定結果を、評価指標値として、上位送信局１００の制御チャネル割当部１１０に通知する。ここで、通知（フィードバック）方法は、予め定められているものとする。
【００５６】
送受信部２３０には、上位送信局１００の送受信部１３０から、パラメータＹの値が上位レイヤシグナリングにより通知される。
【００５７】
復号部２２０は、評価指標値が上位Ｎ以内を示す送信局のｅＰＤＣＣＨ可能領域に対して、ｅＰＤＣＣＨ復調用参照信号のシーケンス初期値のパラメータＺの前記Ｎ個の候補値に基づいて、ｅＰＤＣＣＨの復号（ブラインドデコーディング）を試みる。ここで、復号部２２０は、パラメータＺの値を、ｅＰＤＣＣＨを受信する前に通知されたパラメータＹと等しい値に定めるので、パラメータＺの値が直接通知されなくても、パラメータＺの値が判る。
【００５８】
復号部２２０は、ｅＰＤＣＣＨを復号する際、パラメータＺの前記Ｎ個の候補値に基づいて、ｅＰＤＣＣＨ復調用参照信号を生成する。復号部２２０は、評価指標値が所定閾値Ｐ以上を示す送信局について、ｅＰＤＣＣＨ復調用参照信号に基づいてｅＰＤＣＣＨを復号する。
【００５９】
また、復号部２２０は、ブランドディーコーディングの検索数を削減するために、以下のよう動作してもよい。なお、評価指標値が上位Ｎ以内を示す送信局のｅＰＤＣＣＨ可能領域にのみ、ｅＰＤＣＣＨの無線リソースが割り当てられることは、上位送信局１００と端末２００との間で、予め規定されているものとする。
【００６０】
復号部２２０は、ｅＰＤＣＣＨを復号する際、パラメータＺの値に基づいて、ｅＰＤＣＣＨ復調用参照信号を生成する。復号部２２０は、評価指標値が上位Ｎ以内を示す送信局のうち、評価指標値が降順となる送信局の順に、ｅＰＤＣＣＨ復調用参照信号に基づいてｅＰＤＣＣＨを復号してもよい。
【００６１】
また、復号部２２０は、ｅＰＤＣＣＨを復号する際、評価指標値が上位を示す送信局の数Ｎに基づいて、ｅＰＤＣＣＨのアグリゲーションレベル（Ａｇｇｒｅｇａｔｉｏｎ Ｌｅｖｅｌ）を限定してもよい。例えば、評価指標値が上位を示す送信局の数Ｎが１と予め定められている場合、復号部２２０は、ｅＰＤＣＣＨの４種類のアグリゲーションレベル＝１，２，４，８をサポートする。また、評価指標値が上位を示す送信局の数Ｎが２と予め定められている場合、復号部２２０は、ｅＰＤＣＣＨの２種類のアグリゲーションレベル＝２，４をサポートする。また、評価指標値が上位を示す送信局の数Ｎが１と予め定められている場合、復号部２２０は、ｅＰＤＣＣＨの１種類のアグリゲーションレベル＝４のみをサポートする。
【００６２】
次に、無線通信システムの動作手順例を説明する。
図４には、無線通信システムの動作手順の第１例が、シーケンス図により示されている。図４では、評価指標値が上位Ｎ以内を示す送信局のｅＰＤＣＣＨ可能領域にのみ、ｅＰＤＣＣＨの無線リソースが割り当てられることは、上位送信局１００と端末２００との間で、予め規定されているものとする。
【００６３】
端末２００は、セル３００と同期し、上位送信局１００をサービングセクタとする（ステップＳ１）。
【００６４】
上位送信局１００の制御チャネル割当部１１０は、例えば、パラメータＹの値０を上位送信局１００に割り当てる。また、制御チャネル割当部１１０は、例えば、パラメータＹの値１を下位送信局１０１に割り当てる。また、制御チャネル割当部１１０は、例えば、パラメータＹの値２を下位送信局１０２に割り当てる。また、制御チャネル割当部１１０は、例えば、パラメータＹの値３を下位送信局１０３に割り当てる。また、制御チャネル割当部１１０は、例えば、パラメータＹの値４を下位送信局１０４に割り当てる。
【００６５】
送受信部１３０は、上位レイヤシグナリングにより、パラメータＹの値を端末２００に通知する。また、送受信部１３０は、各送信局から送信されたチャネル状態情報の参照信号（ＣＳＩ−ＲＳ）の受信電力、又は、信号対雑音干渉比の測定結果を、評価指標値として通知するように、端末２００に指示する（ステップＳ２）。
【００６６】
端末２００の送受信部２３０には、上位送信局１００の送受信部１３０から、パラメータＹの値が上位レイヤシグナリングにより通知される。測定部２１０は、各送信局から送信されたチャネル状態情報の参照信号の受信電力、又は、信号対雑音干渉比を測定する（ステップＳ３）。
【００６７】
測定部２１０は、各送信局から送信されたチャネル状態情報の参照信号の受信電力、又は、信号対雑音干渉比の測定結果を、評価指標値として、上位送信局１００の制御チャネル割当部１１０に、予め定められた通知（フィードバック）方法により通知する（ステップＳ４）。
【００６８】
制御チャネル割当部１１０は、データチャネル領域（ＰＤＳＣＨ）の無線リソースを、端末２００に対して割り当てる。また、制御チャネル割当部１１０は、評価指標値が上位Ｎ以内を示す送信局のｅＰＤＣＣＨ可能領域にのみ、ｅＰＤＣＣＨ復調用参照信号を割り当てる（ステップＳ５）。
【００６９】
復号部２２０は、パラメータＺ（＝Ｙ）の値に基づいて、ｅＰＤＣＣＨ復調用参照信号を生成する（ステップＳ６）。復号部２２０は、ｅＰＤＣＣＨ復調用参照信号に基づいて、サブフレーム毎にｅＰＤＣＣＨを復号（ブラインドデコーディング）する（ステップＳ７）。
【００７０】
図５には、ｅＰＤＣＣＨを復号（ブラインドデコーディング）する手順例が、フローチャートにより示されている。端末２００の復号部２２０は、評価指標値が上位を示す送信局の数Ｎを読み込む。復号部２２０は、この予め定められた値Ｎを、例えば、記憶部（不図示）から読み込んでもよい（ステップＳａ１）。また、復号部２２０は、カウント用変数を、値０に初期化する（ステップＳａ２）。
【００７１】
パラメータＺの前記Ｎ個の候補値のうち、「カウント用変数＋1」番目に高い評価指標値を示す送信局のパラメータＺの値を用いて、ｅＰＤＣＣＨを復号（ブラインドデコーディング）できたか否かを、復号部２２０は判定する（ステップＳａ３）。ｅＰＤＣＣＨを復号できた場合（ステップＳａ３−Ｙｅｓ）、復号部２２０は、処理を終了する。
【００７２】
一方、ｅＰＤＣＣＨを復号できない場合（ステップＳａ３−Ｙｅｓ）、復号部２２０は、カウント用変数に値１を加算する（ステップＳａ４）。そして、復号部２２０は、カウント用変数が値Ｎ未満であるか否かを判定する（ステップＳａ５）。カウント用変数が値Ｎ未満でない場合（ステップＳａ５−Ｎｏ）、復号部２２０は、処理を終了する。また、カウント用変数が値Ｎ未満である場合（ステップＳａ５−Ｙｅｓ）、復号部２２０は、ステップＳａ３に処理を戻す。
【００７３】
以上のように、送信局としての上位送信局及び下位送信局と、受信局としての端末とを有する無線通信システムにおいて、無線通信システムは、送信局毎の復調用参照信号（ＤＭＲＳ）に基づいて、下位送信局１０１〜１０４の所定のデータチャネル領域（ＰＤＳＣＨ）の一部に、端末２００毎の下り制御チャネル（ｅＰＤＣＣＨ）を割り当て、割り当て結果を下位送信局１０１〜１０４に送信し、前記割り当て結果に基づいて、自送信局の所定のデータチャネル領域（ＰＤＳＣＨ）の一部に配置した端末２００毎の下り制御チャネル（ｅＰＤＣＣＨ）を送信する上位送信局１００（制御チャネル割当部１１０）と、前記割り当て結果に基づいて、自送信局の所定のデータチャネル領域（ＰＤＳＣＨ）の一部に配置した前記端末毎の下り制御チャネル（ｅＰＤＣＣＨ）を送信する下位送信局１０１〜１０４と、前記復調用参照信号に基づいて、前記下り制御チャネル（ｅＰＤＣＣＨ）を復号（ブラインドデコーディング）する端末２００（復号部２２０）と、を備える。
この構成により、上位送信局１００は、前記送信局毎の復調用参照信号（ＤＭＲＳ）に基づいて、所定のデータチャネル領域（ＰＤＳＣＨ）の一部に、端末２００毎の下り制御チャネル（ｅＰＤＣＣＨ）を割り当てる。これにより、無線通信システムは、ＬＴＥ Ｒｅｌ．１０までのＰＤＣＣＨの容量を不足させてしまうことなく、データチャネルのスループットの低下を防ぐことができる。
【００７４】
また、端末２００（復号部２２０）は、前記送信局毎のチャネル状態情報の参照信号（ＣＳＩ−ＲＳ）のシーケンス初期値のパラメータ（Ｙ）（式（１）を参照）に基づいて、前記復調用参照信号（ＤＭＲＳ）（シーケンス初期値のパラメータＺ＝Ｙ）（式（２）を参照）を生成し、生成した前記復調用参照信号に基づいて、前記下り制御チャネル（ｅＰＤＣＣＨ）を復号する。
【００７５】
また、端末２００（復号部２２０）は、前記復調用参照信号（ＤＭＲＳ）の受信強度又は信号対干渉雑音比に基づいて、送信局（上位送信局１００、下位送信局１０１〜１０４のいずれか）を選択し、選択した前記送信局に対応する前記下り制御チャネル（ｅＰＤＣＣＨ）を復号する。
【００７６】
また、端末２００（復号部２２０）は、前記送信局毎のサウンディングリファレンスシグナル（上り）の受信強度に基づいて送信局（上位送信局１００、下位送信局１０１〜１０４のいずれか）を選択し、選択した前記送信局に対応する前記下り制御チャネル（ｅＰＤＣＣＨ）を復号する。
【００７７】
また、送信局としての上位送信局及び下位送信局と、受信局としての端末とを有する無線通信システムにおいて、無線通信プログラムは、上位送信局１００（制御チャネル割当部１１０）のコンピュータに、送信局毎の復調用参照信号（ＤＭＲＳ）に基づいて、下位送信局の所定のデータチャネル領域（ＰＤＳＣＨ）の一部に、端末２００毎の下り制御チャネル（ｅＰＤＣＣＨ）を割り当て、割り当て結果を下位送信局１０１〜１０４に送信し、前記割り当て結果に基づいて、自送信局の所定のデータチャネル（ＰＤＳＣＨ）領域の一部に配置した端末２００毎の下り制御チャネル（ｅＰＤＣＣＨ）を送信する手順と、下位送信局１０１〜１０４のコンピュータに、前記割り当て結果に基づいて、自送信局の所定のデータチャネル領域（ＰＤＳＣＨ）の一部に配置した端末２００毎の下り制御チャネル（ｅＰＤＣＣＨ）を送信する手順と、端末２００（復号部２２０）のコンピュータに、前記復調用参照信号に基づいて、前記下り制御チャネル（ｅＰＤＣＣＨ）を復号する手順と、を実行させる。
【００７８】
また、各送信局を識別するために、データチャネル領域（ＰＤＳＣＨ）に割り当てられた所定データを復調するための復調用参照信号（ＤＭＲＳ）のシーケンス初期値のパラメータＸ（ＴＰ−ｓｐｅｃｉｆｉｃ、ＵＥ−ｓｐｅｃｉｆｉｃ）が用いられてもよい。データチャネル領域に割り当てられた所定データを復調するための復調用参照信号（ＤＭＲＳ）のシーケンス初期値Ｃｉｎｉｔは、式（３）により示される。
【００７９】
【数３】
0005890743.tif 000004
【００８０】
ここで、ｎｓは、スロットの識別情報を示す。また、ｎＳＣＩＤは、前記非特許文献１の「Ｔａｂｌｅ５．３．３．１．５Ｃ‐１」（図３を参照）に示されているパラメータｎＳＣＩＤでもよい。つまり、ｎＳＣＩＤは、値０又は１である。
【００８１】
以上のように、上位送信局１００は、前記送信局毎（ＴＰ−ｓｐｅｃｉｆｉｃ）若しくは前記端末毎（ＵＥ−ｓｐｅｃｉｆｉｃ）の復調用参照信号（ＤＭＲＳ）のシーケンス初期値のパラメータＸ、又は、前記送信局毎のチャネル状態情報の参照信号のシーケンス初期値のパラメータＹに基づいて、自送信局の所定のデータチャネル領域（ＰＤＳＣＨ）の一部に、前記端末毎の下り制御チャネル（ｅＰＤＣＣＨ）を割り当てる。
【００８２】
［第２実施形態］
第２実施形態では、基地局連携（Ｃｏｏｒｄｉｎａｔｅｄ Ｍｕｌｔｉ‐Ｐｏｉｎｔ：ＣｏＭＰ）がサポートされる点が、第１実施形態と相違する。第２実施形態では、第１実施形態との相違点についてのみ説明する。
【００８３】
図１の説明において上述したように、以下では、セル３００−０、上位送信局１００−１、下位送信局１０１−１〜１０４−１及び端末２００−１についてのみ説明する。また、以下では、ハイフン付の符号を省略して、符号を表記する。
【００８４】
端末２００（図１を参照）は、基地局連携（ＣｏＭＰ）スキームの「Ｄｙｎａｍｉｃ Ｐｏｉｎｔ Ｓｅｌｅｃｔｉｏｎ：ＤＰＳ」に基づいて、通信先の送信局をサブフレーム毎に切り替えることができる。また、無線通信システムでは、基地局連携がサポートされるために、送信局の集合として、「ＣｏＭＰ Ｃｏｏｐｅｒａｔｉｎｇ Ｓｅｔ」と、「ＣｏＭＰ Ｒｅｓｏｕｒｃｅ Ｍａｎａｇｅｍｅｎｔ Ｓｅｔ」と、「ＣｏＭＰ Ｍｅａｓｕｒｅｍｅｎｔ Ｓｅｔ」とが定められる。
【００８５】
「ＣｏＭＰ Ｃｏｏｐｅｒａｔｉｎｇ Ｓｅｔ」は、互いのリソース割当情報を共有することができる送信局（ＴＰ）の集合である。「ＣｏＭＰ Ｃｏｏｐｅｒａｔｉｎｇ Ｓｅｔ」は、ネットワーク・デプロイメント（Ｎｅｔｗｏｒｋ  Ｄｅｐｌｏｙｍｅｎｔ）として、ネットワーク設計者（オペレータ）により予め定められる。
【００８６】
「ＣｏＭＰ Ｒｅｓｏｕｒｃｅ Ｍａｎａｇｅｍｅｎｔ Ｓｅｔ」は、端末２００により受信信号レベルが測定される送信局（ＴＰ）の集合である。受信信号レベルは、例えば、チャネル状態情報の参照信号（ＣＳＩ−ＲＳ）に基づいて測定されてもよい。「ＣｏＭＰ Ｒｅｓｏｕｒｃｅ Ｍａｎａｇｅｍｅｎｔ Ｓｅｔ」は、端末２００の位置に応じて、上位送信局１００により定められる。
【００８７】
「ＣｏＭＰ Ｍｅａｓｕｒｅｍｅｎｔ Ｓｅｔ」は、チャネル品質が測定される送信局（ＴＰ）の集合である。「ＣｏＭＰ Ｍｅａｓｕｒｅｍｅｎｔ Ｓｅｔ」は、例えば、チャネル品質としてのチャネル状態情報の参照信号（ＣＳＩ−ＲＳ）の受信信号レベルに応じて、上位送信局１００により定められる。
【００８８】
チャネル状態情報の参照信号（ＣＳＩ−ＲＳ）のリソースを示す情報には、例えば、チャネル状態情報の参照信号が送信されるサブフレームを示す情報(例えば、送信周期、オフセット値)と、チャネル状態情報の参照信号が送信される周波数を示す情報と、チャネル状態情報の参照信号が送信されるアンテナポートを示す情報と、チャネル状態情報の参照信号が送信されるパワーを示す情報と、チャネル状態情報の参照信号のシーケンス初期値のパラメータＹ（式（１）を参照）とが含まれる。
【００８９】
以下では、上位送信局１００に割り当てられたパラメータＹ（式（１）を参照）を「パラメータＹ０」と、下位送信局１０１に割り当てられたパラメータＹを「パラメータＹ１」と、下位送信局１０２に割り当てられたパラメータＹを「パラメータＹ２」と、下位送信局１０３に割り当てられたパラメータＹを「パラメータＹ３」と、下位送信局１０４に割り当てられたパラメータＹを「パラメータＹ４」と表記する。
【００９０】
図１では、「ＣｏＭＰ Ｃｏｏｐｅｒａｔｉｎｇ Ｓｅｔ」は、上位送信局１００と、下位送信局１０１〜１０４とから成る集合である。また、「ＣｏＭＰ Ｒｅｓｏｕｒｃｅ Ｍａｎａｇｅｍｅｎｔ Ｓｅｔ」は、端末２００から所定の第１距離内に在る上位送信局及び下位送信局、すなわち、上位送信局１００と、下位送信局１０１及び下位送信局１０３とから成る集合である。また、「ＣｏＭＰ Ｍｅａｓｕｒｅｍｅｎｔ Ｓｅｔ」は、端末２００から所定の第２距離内に在る下位送信局、すなわち、下位送信局１０１及び下位送信局１０３から成る集合である。
【００９１】
ｅＰＤＣＣＨ復調用参照信号（ＤＭＲＳ）のシーケンス初期値のパラメータＺ（式（２）を参照）の値は、「ＣｏＭＰ Ｍｅａｓｕｒｅｍｅｎｔ Ｓｅｔ」、すなわち、下位送信局１０１に対応づけられたパラメータＹ１、及び、下位送信局１０３に対応づけられたパラメータＹ３から選択される。例えば、式（２）におけるパラメータｎＳＣＩＤが値０である場合、上位送信局１００の制御チャネル割当部１１０（図２を参照）は、パラメータＹ１を選択し、パラメータＹ１をパラメータＺの値とする。一方、式（２）におけるパラメータｎＳＣＩＤが値１である場合、上位送信局１００の制御チャネル割当部１１０は、パラメータＹ３を選択し、パラメータＹ３をパラメータＺの値とする。ここで、パラメータＹ１とパラメータＹ３との対応は、逆でもよい。
【００９２】
なお、パラメータＺは、予め定められた条件に基づいて、複数のパラメータＹから更に選択されてもよい。つまり、パラメータＺの候補値は、三つ以上あってもよい。
【００９３】
図６には、ｅＰＤＣＣＨ可能領域の配置例が示されている。横軸は、ＯＦＤＭシンボルＩＤを示す。縦軸は、キャリアＩＤを示す。ＬＴＥ Ｒｅｌ．１０までの下り制御チャネル（ＰＤＣＣＨ）は、ＯＦＤＭシンボルＩＤが１〜３の領域に配置される。一方、ｅＰＤＣＣＨ可能領域は、データチャネル領域の一部（１４ＯＦＤＭシンボルのうち、ＯＦＤＭシンボルＩＤが１〜３以外の領域）の無線リソースに割り当てられる。
【００９４】
ｅＰＤＣＣＨ可能領域は、送信局毎に異なる領域に配置されてもよい。図６（Ａ）では、ｅＰＤＣＣＨ可能領域は、一例として、キャリアＩＤ１により示される領域と、キャリアＩＤ１０により示される領域とに、上位送信局１００により割り当てられている。以下、この割り当てを、「割り当てＡ」という。一方、図６（Ｂ）では、ｅＰＤＣＣＨ可能領域は、一例として、キャリアＩＤ０により示される領域と、キャリアＩＤ１１により示される領域とに、上位送信局１００により割り当てられている。以下、この割り当てを、「割り当てＢ」という。
【００９５】
図７には、ｅＰＤＣＣＨ可能領域を通知するためのテーブルデータの例が示されている。ｅＰＤＣＣＨ可能領域を通知するためのテーブルデータには、二つ以上のパラメータＹについて、パラメータＹとｅＰＤＣＣＨ可能領域の割り当てとの対応付けを示す情報が含まれている。パラメータＹは、例えば、送信局毎に固有（セルＩＤ）、又は、アンテナ集合毎に固有（アンテナ集合ＩＤ）でもよい。ここで、アンテナ集合は、同じ送信局の複数のアンテナから構成されてもよいし、異なる送信局の複数のアンテナから構成されてもよい。
【００９６】
図７（Ａ）では、上位送信局１００の制御チャネル割当部１１０により、一例として、パラメータＹ１が「割り当てＡ」に対応付けられ、且つ、パラメータＹ３が「割り当てＢ」に対応付けられている。また、図７（Ｂ）では、上位送信局１００の制御チャネル割当部１１０により、一例として、パラメータＹ１が「割り当てＡ」に対応付けられ、且つ、パラメータＹ３が「割り当て無し」に対応付けられている。ここで、割り当て無しとは、ｅＰＤＣＣＨ可能領域が無線リソースに、パラメータＹ３を用いては、割り当てられていないことを示す。この場合、ｅＰＤＣＣＨ可能領域自体は、無線リソースに存在している。
【００９７】
なお、ｅＰＤＣＣＨ可能領域を通知するためのテーブルデータには、三つ以上のパラメータＹについて、パラメータＹとｅＰＤＣＣＨ可能領域の割り当てとの対応付けを示す情報が含まれていてもよい。
【００９８】
上位送信局１００の送受信部１３０（図２を参照）は、ｅＰＤＣＣＨ可能領域を通知するためのテーブルデータを、上位レイヤのシグナリング（例えば、ＲＲＣ（Ｒａｄｉｏ Ｒｅｓｏｕｒｃｅ Ｃｏｎｔｒｏｌ））により、端末２００に通知する。ここで、送受信部１３０は、ｅＰＤＣＣＨ可能領域を通知するためのテーブルデータを、下位送信局が端末２００にｅＰＤＣＣＨを送信する前（例えば、数ミリ秒〜数十ミリ秒以上前）に、端末２００に通知する。
【００９９】
端末２００の送受信部２３０（図２を参照）は、ｅＰＤＣＣＨ可能領域を通知するためのテーブルデータを受信する。また、送受信部２３０は、「ＣｏＭＰ Ｍｅａｓｕｒｅｍｅｎｔ Ｓｅｔ」に含まれる下位送信局から、ｅＰＤＣＣＨを受信する。また、端末２００の復号部２２０（図２を参照）は、テーブルデータに含まれる選択された各パラメータＹをパラメータＺの値として、式（２）に基づいてｅＰＤＣＣＨを復号（ブラインドデコーディング）する。
【０１００】
図７（Ａ）に示されたテーブルデータが通知された場合、端末２００は、パラメータＹ１及び割り当てＡを示す情報に基づいて、ｅＰＤＣＣＨを復号（ブラインドデコーディング）する。端末２００は、パラメータＹ１及び割り当てＡを示す情報に基づいて復号できない（復号に失敗する）場合、パラメータＹ３及び割り当てＢを示す情報に基づいて、ｅＰＤＣＣＨを復号（ブラインドデコーディング）する。
【０１０１】
一方、図７（Ｂ）に示されたテーブルデータが通知された場合、端末２００は、パラメータＹ１及び割り当てＡを示す情報に基づいて、ｅＰＤＣＣＨを復号する。ここで、下位送信局１０３の無線リソースにｅＰＤＣＣＨが割り当てられていないこと（割り当て無し）が、図７（Ｂ）に示されたテーブルデータに示されているので、端末２００は、復号（ブラインドデコーディング）する回数を少なくすることができる。
【０１０２】
次に、無線通信システムの動作手順を説明する。
図８は、無線通信システムの動作手順の第２例を示すシーケンス図である。上位送信局１００の送受信部１３０（図２を参照）は、「ＣｏＭＰ Ｒｅｓｏｕｒｃｅ Ｍａｎａｇｅｍｅｎｔ Ｓｅｔ」を示す情報を、上位レイヤのシグナリングにより、端末２００に通知する。ここで、「ＣｏＭＰ Ｒｅｓｏｕｒｃｅ Ｍａｎａｇｅｍｅｎｔ Ｓｅｔ」、すなわち、上位送信局１００、下位送信局１０１及び下位送信局１０３を示す情報とは、例えば、パラメータＹ０、パラメータＹ１及びパラメータＹ３である（ステップＳｂ１）。このステップＳｂ１は、図４に示された動作手順の第１例では、例えば、ステップＳ２で実行される。
【０１０３】
端末２００の測定部２１０（図２を参照）は、各送信局から送信されたチャネル状態情報の参照信号の受信電力（Ｒｅｆｅｒｅｎｃｅ  Ｓｉｇｎａｌ  Ｒｅｃｅｉｖｅｄ Ｐｏｗｅｒ：ＲＳＲＰ）、又は、信号対雑音干渉比の測定結果を、評価指標値として、上位送信局１００の制御チャネル割当部１１０に、予め定められた通知（フィードバック）方法により通知する（ステップＳｂ２）。このステップＳｂ２は、図４に示された動作手順の第１例では、例えば、ステップＳ４で実行される。
【０１０４】
上位送信局１００の送受信部１３０は、「ＣｏＭＰ Ｍｅａｓｕｒｅｍｅｎｔ Ｓｅｔ」を示す情報を、上位レイヤのシグナリングにより、端末２００に通知する。ここで、「ＣｏＭＰ Ｍｅａｓｕｒｅｍｅｎｔ Ｓｅｔ」、すなわち、下位送信局１０１及び下位送信局１０３を示す情報とは、例えば、パラメータＹ１及びパラメータＹ３である（ステップＳｂ３）。
【０１０５】
上位送信局１００の制御チャネル割当部１１０（図２を参照）は、「ＣｏＭＰ Ｍｅａｓｕｒｅｍｅｎｔ Ｓｅｔ」、すなわち、下位送信局１０１及び下位送信局１０３のｅＰＤＣＣＨ可能領域（図６を参照）に、ｅＰＤＣＣＨを割り当てる。また、上位送信局１００の送受信部１３０は、ｅＰＤＣＣＨ可能領域を通知するためのテーブルデータ（図７を参照）を、上位レイヤのシグナリングにより、端末２００に通知する（ステップＳｂ４）。このステップＳｂ４は、図４に示された動作手順の第１例では、例えば、ステップＳ５で実行される。
【０１０６】
上位送信局１００の送受信部１３０は、下位送信局１０１のｅＰＤＣＣＨ可能領域（例えば、割り当てＡ）を示す情報を、上位レイヤのシグナリングにより、下位送信局１０１に通知する。また、上位送信局１００の送受信部１３０は、下位送信局１０３のｅＰＤＣＣＨ可能領域（例えば、割り当てＢ）を示す情報を、上位レイヤのシグナリングにより、下位送信局１０３に通知する（ステップＳｂ５）。このステップＳｂ５は、図４に示された動作手順の第１例では、例えば、ステップＳ５で実行される。
【０１０７】
端末２００の復号部２２０（図２を参照）は、パラメータＺ（＝Ｙ）の値に基づいて、ｅＰＤＣＣＨ復調用参照信号（ＤＭＲＳ）を生成する。ここで、復号部２２０は、パラメータＹ１の値に基づいて、ｅＰＤＣＣＨ復調用参照信号を生成する（ステップＳｂ６）。このステップＳｂ６は、図４に示された動作手順の第１例では、例えば、ステップＳ６で実行される。
【０１０８】
端末２００の送受信部２３０は、下位送信局１０１からｅＰＤＣＣＨを受信する（ステップＳｂ７）。
【０１０９】
端末２００の復号部２２０は、ｅＰＤＣＣＨ復調用参照信号に基づいて、サブフレーム毎にｅＰＤＣＣＨを復号（ブラインドデコーディング）する。パラメータＹ１の値に基づいてｅＰＤＣＣＨ復調用参照信号を生成したので、復号部２２０は、下位送信局１０１から受信したｅＰＤＣＣＨを復号することができる（ステップＳｂ８）。このステップＳｂ８は、図４に示された動作手順の第１例では、例えば、ステップＳ７で実行される。
【０１１０】
下位送信局１０３からもｅＰＤＣＣＨを受信する場合（基地局連携がサポートされる場合）、復号部２２０は、パラメータＹ３の値に基づいて、ｅＰＤＣＣＨ復調用参照信号を生成する（ステップＳｂ６）。このステップＳｂ６は、図４に示された動作手順の第１例では、例えば、ステップＳ６で実行される。
【０１１１】
端末２００の送受信部２３０は、下位送信局１０３からｅＰＤＣＣＨを受信する（ステップＳｂ７）。
【０１１２】
端末２００の復号部２２０は、ｅＰＤＣＣＨ復調用参照信号に基づいて、サブフレーム毎にｅＰＤＣＣＨを復号（ブラインドデコーディング）する。パラメータＹ３の値に基づいてｅＰＤＣＣＨ復調用参照信号を生成したので、復号部２２０は、下位送信局１０３から受信したｅＰＤＣＣＨを復号することができる（ステップＳｂ８）。このステップＳｂ８は、図４に示された動作手順の第１例では、例えば、ステップＳ７で実行される。このようにして、基地局連携（ＣｏＭＰ）がサポートされる。
【０１１３】
無線通信システムの動作手順は、以下に説明する手順でもよい。
図９は、無線通信システムの動作手順の第３例を示すシーケンス図である。ステップＳｃ１〜ステップＳｃ３は、図８に示された動作手順の第２例のステップＳｂ１〜ステップＳｂ３と同様である。
【０１１４】
上位送信局１００の制御チャネル割当部１１０（図２を参照）は、「ＣｏＭＰ Ｍｅａｓｕｒｅｍｅｎｔ Ｓｅｔ」、すなわち、下位送信局１０１及び下位送信局１０３のｅＰＤＣＣＨ可能領域（図６を参照）に、ｅＰＤＣＣＨを割り当てる。また、上位送信局１００の送受信部１３０は、ｅＰＤＣＣＨ復調用参照信号のシーケンス初期値のパラメータＺ（式（２）を参照）の値を、上位レイヤのシグナリングにより、端末２００に通知する（ステップＳｃ４）。このステップＳｃ４は、図４に示された動作手順の第１例では、例えば、ステップＳ５で実行される。
【０１１５】
ステップＳｃ５は、図８に示された動作手順の第２例のステップＳｂ５と同様である。
端末２００の復号部２２０（図２を参照）は、ｅＰＤＣＣＨ可能領域に基づいて通知されたパラメータＺの第１の値に基づいて、ｅＰＤＣＣＨ復調用参照信号を生成する（ステップＳｃ６）。このステップＳｃ６は、図４に示された動作手順の第１例では、例えば、ステップＳ６で実行される。
【０１１６】
ステップＳｃ７は、図８に示された動作手順の第２例のステップＳｂ７と同様である。
端末２００の復号部２２０は、下位送信局１０１から受信したｅＰＤＣＣＨを、通知されたパラメータＺの第１の値に基づいて生成されたｅＰＤＣＣＨ復調用参照信号に基づいて、サブフレーム毎に復号する（ステップＳｃ８）。
【０１１７】
上位送信局１００の送受信部１３０は、ｅＰＤＣＣＨ復調用参照信号のシーケンス初期値のパラメータＺ（式（２）を参照）の第２の値を、上位レイヤのシグナリングにより、端末２００に通知する。復号部２２０は、下位送信局１０３から受信したｅＰＤＣＣＨを、通知されたパラメータＺの第２の値に基づいて生成されたｅＰＤＣＣＨ復調用参照信号に基づいて、サブフレーム毎に復号する。このようにして、基地局連携（ＣｏＭＰ）がサポートされる。
【０１１８】
以上のように、端末２００（図２を参照）は、下り制御チャネル（ｅＰＤＣＣＨ）が割り当てられたデータチャネル領域の部分領域（図６を参照）と、前記下り制御チャネルを復調するためのパラメータＺ（例えば、パラメータＹ（式（２）を参照））と、が対応付けられた情報（例えば、図７を参照、図９のステップＳｃ４の説明を参照）を、複数の前記パラメータ（例えば、パラメータＹ１及びパラメータＹ３）について受信する送受信部２３０と、前記データチャネル領域の部分領域に割り当てられた前記下り制御チャネル（ｅＰＤＣＣＨ）を受信する送受信部２３０と、前記複数のパラメータから選択した第１パラメータ（例えば、パラメータＹ１（セルＩＤ、アンテナ集合ＩＤ）、又は、パラメータＺの第１の値）から生成した復調用参照信号（ｅＰＤＣＣＨ復調用参照信号）に基づいて、前記下り制御チャネル（ｅＰＤＣＣＨ）を復号し、前記第１パラメータに基づいて復号することができない場合、前記複数のパラメータから選択した第２パラメータ（例えば、パラメータＹ３、又は、パラメータＺの第２の値）から生成した復調用参照信号（ｅＰＤＣＣＨ復調用参照信号）に基づいて、前記下り制御チャネル（ｅＰＤＣＣＨ）を復号する復号部２２０と、を備える。
この構成により、復号部２２０は、前記複数のパラメータから選択した第１パラメータから生成した復調用参照信号に基づいて、前記下り制御チャネル（ｅＰＤＣＣＨ）を復号し、前記第１パラメータに基づいて復号することができない場合、前記複数のパラメータから選択した第２パラメータから生成した復調用参照信号に基づいて、前記下り制御チャネル（ｅＰＤＣＣＨ）を復号する。これにより、端末は、ＬＴＥ Ｒｅｌ．１０までのＰＤＣＣＨの容量を不足させてしまうことなく、データチャネルのスループットの低下を防ぐことができ、且つ、基地局連携送信をサポートすることができる。
【０１１９】
また、復号部２２０は、チャネル状態情報の参照信号（ＣＳＩ−ＲＳ）を生成するための前記第１パラメータ（例えば、パラメータＹ１）に基づいて、前記下り制御チャネルを復号し、前記第１パラメータに基づいて復号することができない場合、前記チャネル状態情報の参照信号（ＣＳＩ−ＲＳ）を生成するための前記第２パラメータ（例えば、パラメータＹ３）に基づいて、前記下り制御チャネルを復号する。
【０１２０】
また、復号部２２０は、前記復調用参照信号（ｅＰＤＣＣＨ復調用参照信号）の受信強度又は信号対干渉雑音比に基づいて、送信局（上位送信局１００、下位送信局１０１〜１０４）を選択し、選択した前記送信局に対応する前記下り制御チャネル（ｅＰＤＣＣＨ）を復号する。
【０１２１】
また、復号部２２０は、前記送信局毎のサウンディングリファレンスシグナルの受信強度に基づいて送信局（上位送信局１００、下位送信局１０１〜１０４）を選択し、選択した前記送信局に対応する前記下り制御チャネル（ｅＰＤＣＣＨ）を復号する。
【０１２２】
また、上位送信局１００（図２を参照）は、下り制御チャネル（ｅＰＤＣＣＨ）を復調するためのパラメータから生成した復調用参照信号（ｅＰＤＣＣＨ復調用参照信号）に基づいて、データチャネル領域の部分領域（図６を参照）に前記下り制御チャネルを割り当て、前記下り制御チャネルを復調するためのパラメータＺ（例えば、パラメータＹ）と、前記部分領域とを、前記パラメータ毎に対応付ける制御チャネル割当部１１０と、前記下り制御チャネル（ｅＰＤＣＣＨ）を復調するためのパラメータＺ（例えば、パラメータＹ）と前記部分領域とが対応付けられた情報（例えば、図７を参照）を、複数の前記パラメータ（例えば、パラメータＹ１及びパラメータＹ３、又は、パラメータＺの第１の値及び第２の値）について送信する送受信部１３０と、を備える。
この構成により、送受信部１３０は、前記下り制御チャネル（ｅＰＤＣＣＨ）を復調するためのパラメータＺ（例えば、パラメータＹ）と前記部分領域とが対応付けられた情報を、複数の前記パラメータ（例えば、パラメータＹ１及びパラメータＹ３、又は、パラメータＺの第１の値及び第２の値）について送信する。これにより、送信局は、ＬＴＥ Ｒｅｌ．１０までのＰＤＣＣＨの容量を不足させてしまうことなく、データチャネルのスループットの低下を防ぐことができ、且つ、基地局連携をサポートすることができる。
【０１２３】
また、制御チャネル割当部１１０は、前記下り制御チャネル（ｅＰＤＣＣＨ）を復調するためのパラメータＺとして、チャネル状態情報の参照信号（ＣＳＩ−ＲＳ）を生成するためのパラメータＹに基づいて、前記データチャネル領域の部分領域（図６を参照）に前記下り制御チャネル（ｅＰＤＣＣＨ）を割り当てる。
【０１２４】
また、無線通信プログラムは、端末２００（図２を参照）のコンピュータに、データチャネル（ＰＤＳＣＨ)領域の部分領域（図６を参照）に割り当てられた下り制御チャネル（ｅＰＤＣＣＨ）を復調するための複数のパラメータ（例えば、パラメータＹ１及びパラメータＹ３）から、第１パラメータを選択する手順と、前記第１パラメータから生成した復調用参照信号（ｅＰＤＣＣＨ復調用参照信号）に基づいて、前記下り制御チャネルを復号する手順と、前記第１パラメータに基づいて復号することができない場合、前記複数のパラメータから第２パラメータを選択し、前記第２パラメータから生成した復調用参照信号（ｅＰＤＣＣＨ復調用参照信号）に基づいて、前記下り制御チャネルを復号する手順と、を実行させる。
【０１２５】
また、無線通信プログラムは、上位送信局１００（図２を参照）のコンピュータに、下り制御チャネルを復調するためのパラメータＺ（例えば、パラメータＹ）から生成した復調用参照信号（ｅＰＤＣＣＨ復調用参照信号）に基づいて、データチャネル（ＰＤＳＣＨ)領域の部分領域（図６を参照）に前記下り制御チャネル（ｅＰＤＣＣＨ）を割り当て、前記下り制御チャネルを復調するためのパラメータと、前記部分領域とを、前記パラメータ毎に対応付ける手順と、前記下り制御チャネルを復調するためのパラメータと前記部分領域とが対応付けられた情報（図７を参照）を、複数の前記パラメータについて送信する手順と、を実行させる。
【０１２６】
以上、この発明の実施形態について図面を参照して詳述してきたが、具体的な構成はこの実施形態に限られるものではなく、この発明の要旨を逸脱しない範囲の設計等も含まれる。
【０１２７】
例えば、上位送信局及び下位送信局は、ＲＲＨ（Ｒｅｍｏｔｅ Ｒａｄｉｏ Ｈｅａｄ）により接続されていてもよい。
また、例えば、ｅＰＤＣＣＨ可能領域を通知するためのデータの形式は、パラメータＹとｅＰＤＣＣＨとが対応付けられている形式であれば、テーブルの形式（図７を参照）に限らなくてもよい。
【０１２８】
なお、上記に説明した無線通信システムを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【０１２９】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１３１】
１００…上位送信局、１０１〜１０４…下位送信局、１１０…制御チャネル割当部、１２０…データチャネル割当部、１３０…送受信部、２００…端末、２１０…測定部、２２０…復号部、２３０…送受信部、３００…セル
【図１】
0005890743.tif 000005
【図２】
0005890743.tif 000006
【図３】
0005890743.tif 000007
【図４】
0005890743.tif 000008
【図５】
0005890743.tif 000009
【図６】
0005890743.tif 000010
【図７】
0005890743.tif 000011
【図８】
0005890743.tif 000012
【図９】
0005890743.tif 000013